(57)【要約】      （修正有）【課題】メガネと共に使用しても、メガネレンズが曇ることを軽減することができるマスクを提供する。【解決手段】マスク本体と、眼鏡曇り防止部材１と、耳掛け紐４とを少なくとも備えるマスク１００であり、ユーザがマスク１００をユーザの顔面に装着しようとするときに、眼鏡曇り防止部材１が、マスク本体の顔面側の上部に配されて、耳掛け紐４が、マスク本体の左右両端部のそれぞれに配されている。眼鏡曇り防止部材１により、鼻とマスク１００との間から漏れる湿った呼気の量を低減でき、眼鏡レンズの曇りを防止することができる。【選択図】図２
0003232234.tif 000002
【実用新案登録請求の範囲】
【請求項１】
マスク本体と、眼鏡曇り防止部材と、耳掛け紐と,を少なくとも備えるマスクであり、
ユーザが該マスクを該ユーザの顔面に装着しようとするときに、
該眼鏡曇り防止部材が、該マスク本体の該顔面側の上部に配されて、
該耳掛け紐が、該マスク本体の左右両端部のそれぞれに配されている、マスク。
【請求項２】
ワイヤを更に備え、
前記ユーザが前記マスクを前記ユーザの前記顔面に装着しようとするときに、
該ワイヤが、前記ユーザの口元に対向するように、前記マスク本体に配されている、請求項1に記載のマスク。
【考案の詳細な説明】
【技術分野】
【０００１】
本考案は、マスクに関する。
【背景技術】
【０００２】
近年、病原菌となる細菌やウイルス（例えば、新型コロナウィルス等）の除去、アレルギーを引き起こす花粉やハウスダストの除去、屋外や作業現場での粉塵の除去などのために、マスクの需要が非常に高まっている。このため、マスクに関する研究・開発が盛んに行われているのが現実である（例えば、特許文献１を参照。）。
【先行技術文献】
【特許文献】
【０００３】
【特許文献１】登録実用新案公報第３１５４８０６号
【考案の概要】
【考案が解決しようとする課題】
【０００４】
しかしながら、特許文献１で提案された技術では、メガネと共に使用すると、鼻とマスクの間から漏れる湿った呼気により、メガネレンズが曇る現象が生じて視界を悪化させるおそれがある。
【０００５】
そこで、本考案は、このような状況を鑑みてなされたものであり、メガネと共に使用しても、メガネレンズが曇ることを軽減することができるマスクを提供することを主目的とする。
【課題を解決するための手段】
【０００６】
本考案者は、上述の目的を解決するために鋭意研究を行った結果、驚くべきことに、メガネレンズが曇ることを軽減することができることに成功し、本考案を完成するに至った。
【０００７】
すなわち、本考案は、マスク本体と、眼鏡曇り防止部材と、耳掛け紐とを少なくとも備えるマスクであり、ユーザが該マスクを該ユーザの顔面に装着しようとするときに、該眼鏡曇り防止部材が、該マスク本体の該顔面側の上部に配されて、該耳掛け紐が、該マスク本体の左右両端部のそれぞれに配されている、マスクを提供する。
【０００８】
また、本考案に係るマスクは、ワイヤを更に備えていてもよく、前記ユーザが前記マスクを前記ユーザの前記顔面に装着しようとするときに、該ワイヤが、前記ユーザの口元に対向するように、前記マスク本体に配されていてもよい。
【考案の効果】
【０００９】
本考案によれば、メガネレンズが曇ることが軽減され得る。
【図面の簡単な説明】
【００１０】
【図１】図１は、本考案に係るマスクの斜視図である。
【図２】図２は、本考案に係るマスクの平面図である。
【図３】図３は、本考案に係るマスクの平面図である。
【考案を実施するための形態】
【００１１】
本考案に係るマスクについて、図１〜図３を用いて説明する。
【００１２】
図１は、本考案に係るマスクの斜視図であり、より具体的には、マスク１００の斜視図である。
【００１３】
図２は、本考案に係るマスクの平面図であり、より具体的には、ユーザの顔面に装着しようとするときの顔面側（内側）のマスク１００の平面図である。
【００１４】
図３は、本考案に係るマスクの平面図であり、より具体的には、ユーザの顔面に装着しようとするときの外気側（外側）のマスク１００の平面図である。
【００１５】
マスク１００は、マスク本体と、眼鏡曇り防止部材１と、耳掛け紐４とを少なくとも備える。マスク本体は、例えば３層構造を有し、例えば、顔面側から順に、スパンボンド製法で作製された不織布層（１層目）と、メルトブロー法で作製された不織布フィルタ（２層目）と、スパンボンド製法で作製された不織布層（３層目）とから構成されている。この３層構造によって、ＰＭ２．５、ウィルス飛沫、黄砂、花粉等の侵入が防止され得る。
【００１６】
図２に示されるように、ユーザがマスク１００をユーザの顔面に装着しようとするときに、眼鏡曇り防止部材１が、マスク本体の該顔面側の上部（図２の上側）に配されて、そして、耳掛け紐４が、マスク本体の左右両端部のそれぞれに配されている。図２では、曇り防止部材１は、シート状（矩形状）であり、例えば、普通サイズのマスク１００では、曇り防止部材１は、縦（図２の上下方向）は１３ｍｍで、横（図２の左右方向）は１７５ｍｍである。また、小さめサイズのマスク１００では、曇り防止部材１は、縦（図２の上下方向）は１３ｍｍで、横（図２の左右方向）は４５ｍｍである。
【００１７】
曇り防止部材１を構成する材料（材質）は、例えば発泡性のポリマー材料が挙げられる。発泡性のポリマー材料としては、例えば、発泡性ポリウレタン（ウレタンシート）が挙げられる。曇り防止部材１は、マスク本体（不織布）に、例えば、超音波溶着によって取り付けられる。
【００１８】
マスク本体の上部に、曇り防止部材１（例えば、ウレタンシート）が取り付けられることによって、鼻とマスク１００との間から、漏れる湿った呼気（水蒸気等）の量を低減でき、眼鏡を使用する場合は、その上昇してきた湿った呼気（水蒸気等）による眼鏡レンズの曇りを防止することができる。
【００１９】
マスク１００においては、ユーザがマスクをユーザの前記顔面に装着しようとするときに、ユーザの鼻に対向するように、第１ワイヤ（ノーズワイヤ）２がマスク本体に配されている。すなわち、第１ワイヤ（ノーズワイヤ）２は、マスク本体の上部に取り付けられている。また、マスク１００においては、ユーザがマスクをユーザの前記顔面に装着しようとするときに、ユーザの口元に対向するように、第２ワイヤ（口元ワイヤ）３がマスク本体に配されている。すなわち、第２ワイヤ（口元ワイヤ）３は、マスク本体の箱襞（オメガプリーツ（立体プリーツ））５に取り付けられている。
【００２０】
第１ワイヤ（ノーズワイヤ）２及び第２ワイヤ（口元ワイヤ）３は、マスク本体の素材（例えば
不織布）との加工性・親和性の観点から、やや硬い塑性プラスチック細型材が好適である。第１ワイヤ（ノーズワイヤ）２及び第２ワイヤ（口元ワイヤ）３を構成する材料（材質）は、例えばポリエチレン等が挙げられる。第１ワイヤ（ノーズワイヤ）２及び第２ワイヤ（口元ワイヤ）３がマスク１００に配されることによって、顔面の複雑な個体差ある曲面にフィットさせることができる。
【００２１】
特に、第２ワイヤ（口元ワイヤ）３がマスク１００に配されることによって、口元近傍に対応するマスク１００の部分を円形状（曲面状）に膨らみを有して保持することができ、ユーザがマスクを装着しても喋りやすく、また、ユーザが女性の場合は、化粧（例えば口紅）がマスクに付着することを防止できることとなる。
【符号の説明】
【００２２】
１・・・眼鏡曇り防止部材、
２・・・第１ワイヤ（ノーズワイヤ）、
３・・・第２ワイヤ（口元ワイヤ）、
４・・・耳掛け紐、
５・・・箱襞、
１００・・・マスク。
【図１】
0003232234.tif 000003
【図２】
0003232234.tif 000004
【図３】
0003232234.tif 000005